(57)【特許請求の範囲】
【請求項１】
連結側の小口（１０）と上面が開口する第１のパイプ（１ａ）と、連結部の両側壁（１２）（１３）に連結穴（１４）（１５）を形成した第２のパイプ（１ｂ）と、上記連結穴（１４）（１５）を貫通し上記小口（１０）から第１のパイプ（１ａ）内に挿入するとともにその挿入側と反対側に上記第２のパイプ（１ｂ）に係止する係止部（１９）を設けたジョイントバー（１６）と、該ジョイントバー（１６）にその挿入方向と直交する方向に設けた係合部（２０）と、
上記第１のパイプ（１ａ）の上面開口部に、小口（１０）と反対側を中心として起伏回転可能に備えたジョイントレバー（２８）と、該ジョイントレバー（２８）の下面に形成されて上記挿入されたジョイントバー（１６）の係合部（２０）に係合、離脱可能なロックフック（３１）とからなることを特徴とするパイプの連結装置。
【請求項２】
請求項１記載の係合部をジョイントバー（１６）の挿入方向に複数個（２０〜２３）適宜間隔を有して並設し、ジョイントレバー（２８）には、ロックフック（３１）が係合する係合部（２０）とは別の係合部（２２）に係合してジョイントバー（１６）を引き込む引き込み用フック（３２）を設けたパイプの連結装置。
【請求項３】
請求項１又は２記載の第１のパイプ（１ａ）に回転可能に備えられ、一端を押圧することによりジョイントレバー（２８）に係合した他端がジョイントレバー（２８）を係合部（２０〜２３）から離脱する方向へ押し上げる解除レバー（３５）を設けたパイプの連結装置。
【発明の詳細な説明】
【０００１】
【発明の属する技術分野】
本発明はパイプの連結装置に関する。
【０００２】
【従来の技術】
従来、図４に示す衝立等の構成枠１を金属製のパイプ（角パイプ）１ａ，１ｂを直交的に組み立てて形成するものがある。そして、このパイプ１ａ，１ｂの連結方法として、図５に示すようにパイプ１ａ，１ｂを突き合わせて溶接２で連結固定したり、図６に示すように一方のパイプ１ａの小口部に雌ねじ３を形成し、他方のパイプ１ｂにボルト挿通穴４を形成し、ボルト５をボルト挿通穴４に挿通して雌ねじ３に螺合し、両パイプ１ａ，１ｂを連結固定するものがある。
【０００３】
【発明が解決しようとする課題】
上記従来のようにパイプ１ａ，１ｂ同士を溶接２で固定するものにおいては、両パイプ１ａ，１ｂが工場で完全に一体なものとなり、部材の共通化や在庫スペース、運搬スペース上の問題がある。
【０００４】
また、ボルト５で連結するものにおいては、部材の共通化はできるもののその連結作業に工具を必要とする上に時間もかかる問題がある。
そこで本発明は上記の問題を解決するパイプの連結装置を提供することを目的とするものである。
【０００５】
【課題を解決するための手段】
本発明は上記の課題を解決するために、請求項１記載の第１の発明は、連結側の小口（１０）と上面が開口する第１のパイプ（１ａ）と、連結部の両側壁（１２）（１３）に連結穴（１４）（１５）を形成した第２のパイプ（１ｂ）と、上記連結穴（１４）（１５）を貫通し上記小口（１０）から第１のパイプ（１ａ）内に挿入するとともにその挿入側と反対側に上記第２のパイプ（１ｂ）に係止する係止部（１９）を設けたジョイントバー（１６）と、該ジョイントバー（１６）にその挿入方向と直交する方向に設けた係合部（２０）と、
上記第１のパイプ（１ａ）の上面開口部に、小口（１０）と反対側を中心として起伏回転可能に備えたジョイントレバー（２８）と、該ジョイントレバー（２８）の下面に形成されて上記挿入されたジョイントバー（１６）の係合部（２０）に係合、離脱可能なロックフック（３１）とからなることを特徴とするものである。
【０００６】
本発明においては、ジョイントバー（１６）を第２のパイプ（１ｂ）の連結穴（１４）（１５）に貫通するとともに第１のパイプ（１ａ）内へその小口（１０）側より挿入する。次でジョイントレバー（２８）を下動してそのロックフック（３１）を、挿入されたジョイントバー（１６）の係合部（２０）に係合する。これにより、第２のパイプ（１ｂ）が第１のパイプ（１ａ）の小口端と係止部（１９）とで挟持され、両パイプ（１ａ）（１ｂ）が連結される。
【０００７】
請求項２記載の第２の発明は、上記係合部をジョイントバー（１６）の挿入方向に複数個（２０〜２３）適宜間隔を有して並設し、ジョイントレバー（２８）には、ロックフック（３１）が係合する係合部（２０）とは別の係合部（２２）に係合してジョイントバー（１６）を引き込む引き込み用フック（３２）を設けたものである。
【０００８】
本発明においては、ジョイントレバー（２８）を下動することにより、先ず引き込み用フック（３２）が挿入されたジョイントバー（１６）の係合部（２２）に係合してジョイントバー（１６）を所定位置まで引き込み、次でロックフック（３１）が係合部（２０）に係合して連結される。
【０００９】
請求項３記載の第３の発明は、上記第１のパイプ（１ａ）に回転可能に備えられ、一端を押圧することによりジョイントレバー（２８）に係合した他端がジョイントレバー（２８）を係合部（２０〜２３）から離脱する方向へ押し上げる解除レバー（３５）を設けたものである。
【００１０】
本発明において、解除レバー（３５）を押圧することにより、ジョイントレバー（２８）が開き方向に押し上げられそのロックフック（３１）が係合部（２０）より離脱する。
【００１１】
【発明の実施の形態】
図に示す実施例に基づいて本発明の実施の形態について説明する。
１ａ，１ｂは相互に直交して連結するパイプである。１ａの第１のパイプは図２に示すように、その上下壁６，７及び両側壁８，９からなる角パイプで形成され、その連結側部には、上壁６が切欠されて上面が開口し、かつ小口１０が開口された収納室１１が形成されている。第２のパイプ１ｂは角パイプで形成され、上記第１のパイプ１ｂの小口１０に当接させる側壁１２と、これと反対の側壁１３には、上記第１のパイプ１ａの外形より若干短い寸法の連結穴１４，１５が貫通形成されている。
【００１２】
１６はジョイントバーで、両側壁１７，１８の前端に上記連結穴１４，１５より大きい外形のキャップ板となる係止部１９が固着され、両側壁１７，１８間には、複数の、図の実施例では４本の係合部２０〜２３が所定の間隔を有して架設固定されている。該係合部２０〜２３は丸棒状のピンで形成されている。
【００１３】
２４は上記第１のパイプ１ａの収納室１１内に収納固定したジョイント受けで、上面２５と前側小口２６が開口した収納部２７を有する角樋状に形成されている。２８はジョイントレバーで、上記収納部２７の上部に収まる帯状の平板部２９と、その後方下部に設けた水平の回転軸３０と、前側下面に一体形成したロックフック３１と、中間部下面に一体成形した引き込み用フック３２と、上記ロックフック３１より前方へ突出した解除用片３３とからなる。そして、その回転軸部３０ａを収納部２７の後部（奥部）に収納し、その回転軸３０をジョイント受け２４に回転可能に取付けてジョイントレバー２８が回転軸３０を中心としてその前側が起伏回動するように具備されている。
【００１４】
上記ロックフック３１は、左右方向の板状の挟持片３１ａ，３１ｂを２枚前後に所定の隙間３４を有して並設して形成されている。上記隙間３４の寸法Ｄ１  は上記係合部であるピン２０〜２３の直径と同等に設定されている。また、上記両挟持片３１ａ，３１ｂの下部内側面は下方が拡開するテーパ面３１ｃ，３１ｄに形成され、上記ピン２０への嵌合を容易にしている。更に、該テーパ面３１ｃ，３１ｄの上端は上記隙間３４の面より若干内側へ突出した爪部３１ｅ，３１ｆに形成されている。尚、該ジョイントレバー２８は合成樹脂で形成され、その両挟持片３１ａ，３１ｂが前後方向（板厚方向）に弾性を有している。
【００１５】
上記引き込み用フック３２の後面３２ａは、上方が後方へ傾斜したテーパ面に形成されている。
上記ロックフック３１の中心と引き込み用フック３２におけるテーパ状の後面３２ａのほぼ中腹との間隔Ｄ２  は、図３に示すように、ロックフック３１が前方の係合部、例えば２０に嵌合した状態で後面３２ａの中腹が後方の係合部、例えば２２の前側面に係合するように設定されている。
【００１６】
３５は解除レバーで、上記ジョイントレバー２８の前方に位置してジョイント受け２４の収納部２７の上部に水平の回転軸３６によりジョイント受け２４に回転可能に備えられており、回転軸３６の後側には上記解除用片３３の下面に係合する短尺の係合片３７が突設され、前側には上記係合片３７より長い操作片３８が形成されている。
【００１７】
尚、上記ジョイントレバー２８及び解除レバー３５は、これらを水平状態にした場合に、第１のパイプ１ａの上面とほぼ面一になるように設定されている。
連結に際しては図１に示すようにジョイントレバー２８を上方へ起こした開き状態で第１のパイプ１ａの小口１０と第２のパイプ１ｂの連結穴１４を位置合わせし、次でジョイントバー１６を、上記連結穴１４，１５に貫通してジョイント受け２４の収納部２７へ挿入する。次で、ジョイントレバー２８を押し下げて閉じる。このとき、先ず、ジョイントレバー２８に形成した引き込み用フック３２のテーパ状の後面３２ａが係合部２２に係合してジョイントバー１６を後方へ引き寄せてその係止部１９を第２のパイプ１ｂの側板１３へ圧着し、これにより第２のパイプ１ｂの側壁１２も第１のパイプ１ａの小口１０に圧着する。この圧着操作後ロックフック３１がテーパ面３１ｃ，３１ｄにより若干開きつつ係合部２０に嵌合し、その嵌合後閉じ方向へ戻る。これにより、両パイプ１ａ，１ｂは図３に示すように連結される。また、そのテーパ面３１ｃ，３１ｄ部の爪部３１ｅ，３１ｆが係合部２０に係止することにより、ジョイントレバー２８が不用意に開き起きないように保持される。この連結状態においては、第１のパイプ１ａと第２のパイプ１ｂとジョイントレバー２８と解除レバー３５の各上面がほぼ面一となり、またジョイントバー１６における挿入された部分がジョイントレバー２８と解除レバー３５で隠ぺいされ、外観を損なうことがない。
【００１８】
次に図３に示す上記の連結状態から両パイプ１ａ，１ｂを分離するには、解除レバー３５の操作片３８を手で下方へ押圧する。これにより、その解除レバー３５が回転軸３６を中心として図３の反時計方向に回転し、係合片３７が解除用片３３を押し上げる。これにより、ジョイントレバー２８のロックフック３１が係合部２０より外され、そのジョイントレバー２８が、回転軸３０を中心として若干起き開かれる。その後、解除用片３３を手掛けとしてジョイントレバー２８を指で起立させ、ジョイントバー１６を引き抜いて両パイプ１ａ，１ｂを分離する。尚、上記の解除レバー３５における操作片３８が係合片３７より長く形成されているため、テコの原理により、軽い押圧力によってジョイントレバー２８を容易に起こして開くことができる。
【００１９】
尚、連結する第２のパイプ１ｂとして、幅Ｄ３  の異なる規格された種々のものを使用できるように上記係合部２０〜２３が複数設けられており、例えば図３より幅Ｄ３  の大きい場合には、引き寄せ用フック３２が係合部２３に係合し、ロックフック３１が係止部２１に嵌合するようになっている。
【００２０】
【発明の効果】
以上のようであるから請求項１記載の発明によれば、ジョイントバーの挿入操作とジョイントレバーの下動操作により両パイプを連結でき、またジョイントレバーの上動操作とジョイントバーの引き抜き操作により両パイプを分離できる。そのため、両パイプの連結、分離作業が工具を用いることなくユーザ側でも容易に行える。
【００２１】
また、ユーザ側で簡易に連結して組立てできることは、構成パイプを分離して在庫、運搬でき、工場内での在庫スペースが少なくなり、また運搬スペースが狭くなって従来の組立てたものに比べて構成資材を多く運ぶことができる。
【００２２】
請求項２記載の発明によれば、更にジョイントバーを所定の位置に引き込んでロックフックを係合部に係合できるため、その連結が容易かつ確実に行える。
請求項３記載の発明によれば、更に、両パイプの分離時におけるジョイントレバーの起こし開きが容易に行え、作業性が一層向上する。
【図面の簡単な説明】
【図１】本発明の実施例を示す分離斜視図。
【図２】第１のパイプの斜視図。
【図３】両パイプの連結状態を示す側断面図。
【図４】本発明を適用する１例を示す衝立の略斜視図。
【図５】パイプを溶接にて連結する従来の例を示す斜視図。
【図６】パイプをボルトで連結する従来の他の例を示す斜視図。
【符号の説明】
１ａ…第１のパイプ                  １ｂ…第２のパイプ
１０…小口                          １２，１３…両側壁
１４，１５…連結穴                  １６…ジョイントバー
１９…係止部                        ２０〜２３…係止部
２８…ジョイントレバー              ３０…回転軸
３１…ロックフック                  ３２…引き込み用フック
３５…解除レバー
【図１】
0003625553.tif 000002
【図２】
0003625553.tif 000003
【図３】
0003625553.tif 000004
【図４】
0003625553.tif 000005
【図５】
0003625553.tif 000006
【図６】
0003625553.tif 000007